(57)【要約】【課題】簡単な付加的手段を備えることにより、通常は従来のように蒸留水を製造することができ、しかも殺菌時には装置内の供給水接液部を熱水で殺菌することができる多重効用缶式蒸留水製造装置の熱水殺菌方法を提供する。【解決手段】供給水の予熱手段と、予熱した供給水から純蒸気を順次発生させる複数の蒸発缶と、発生させた純蒸気の気水分離手段と、気水分離した純蒸気を供給水及び冷却水で冷却して蒸留水とするコンデンサと、コンデンサに接続された外気導入手段とを備える多重効用缶式蒸留水製造装置において、予熱器と第１蒸発缶とを接続する配管途中から分岐して供給水入口配管の基端部へと戻る熱水殺菌循環配管を設け、予熱器で加熱した供給水を用いて供給水接液部を熱水殺菌出来るようにした。【選択図】図１
2013081737.tif 000002
【特許請求の範囲】
【請求項１】
供給水の予熱手段と、予熱した供給水から純蒸気を順次発生させる複数の蒸発缶と、発生させた純蒸気の気水分離手段と、気水分離した純蒸気を供給水及び冷却水で冷却して蒸留水とするコンデンサと、コンデンサに接続された外気導入手段とを備える多重効用缶式蒸留水製造装置において、供給水を予熱器で加熱して、予熱器と第１蒸発缶とを接続する配管途中から分岐して供給水入口配管の基端部へと戻る熱水殺菌循環配管を設け、予熱器で加熱した供給水を循環させて供給水接液部を熱水殺菌することを特徴とする多重効用缶式蒸留水製造装置の熱水殺菌方法。
【発明の詳細な説明】
【技術分野】
【０００１】  本発明は多重効用缶式蒸留水製造装置の熱水殺菌方法に関し、更に詳しくは複数の竪形蒸発缶とその付属機器等から構成される多重効用缶式蒸留水製造装置、その熱水殺菌方法に関する。例えば各種医薬品の製造工場や医療現場では、ＧＭＰ（医薬品及び医薬部外品の製造管理及び品質管理の基準）や日本薬局方に適合した蒸留水が求められる。本発明はかかる蒸留水を製造するための多重効用缶式蒸留水製造装置の熱水殺菌方法の改良に関する。
【背景技術】
【０００２】  従来、前記のような多重効用缶式蒸留水製造装置として、供給水の予熱手段と、予熱した供給水から純蒸気を順次発生させる複数の蒸発缶と、発生させた純蒸気の気水分離手段と、気水分離した純蒸気を供給水及び冷却水で冷却して蒸留水とするコンデンサと、コンデンサに接続された外気導入手段とを備えるものが知られている（例えば特許文献１参照）。【０００３】  ところが、かかる従来の多重効用缶式蒸留水製造装置には、配管が極めて複雑であって、その製作に手間がかかり、また操作が厄介というだけでなく、供給水入口配管、及び構成する機器の供給水接液部に殺菌が不充分な箇所、更には殺菌がされない個所が存在するため微生物による汚染を除くことができないという問題がある。
【先行技術文献】
【特許文献】
【０００４】
【特許文献１】  特開昭６０−０５１５８８号公報
【発明の概要】
【発明が解決しようとする課題】
【０００５】  本発明が解決しようとする課題は、簡単な付加的手段を備えることにより、通常は従来のように蒸留水を製造することができ、しかも殺菌時には、供給水入口配管、及びコンデンサを含む第１蒸発缶供給水入口までの供給水接液部を高温供給水で殺菌することができる熱水殺菌方法を提供することにある。
【課題を解決するための手段】
【０００６】  前記の課題を解決する本発明は、供給水の予熱手段と、予熱した供給水から純蒸気を順次発生させる複数の蒸発缶と、発生させた純蒸気の気水分離手段と、気水分離した純蒸気を供給水及び冷却水で冷却して蒸留水とするコンデンサと、コンデンサに接続された外気導入手段とを備える多重効用缶式蒸留水製造装置において、熱水殺菌循環配管を設け、供給水を供給水入口配管に戻すようにして成ることを特徴とする多重効用缶式蒸留水製造装置に係る。【０００７】    また本発明は、前記の本発明に係る多重効用缶式蒸留水製造装置の熱水殺菌方法であって、予熱器と第１蒸発缶とを接続する配管途中から分岐して供給水入口配管の基端部へと戻る熱水殺菌循環配管を設け、予熱器で加熱した供給水を、熱水殺菌循環配管、元の供給水入口配管、供給水ポンプ、第１コンデンサ、排熱回収器及び予熱器の経路で循環させて供給水の接液部を熱水殺菌することを特徴とする多重効用缶式蒸留水製造装置の熱水殺菌方法に係る。【０００８８】  本発明に係る多重効用缶式蒸留水製造装置（以下、単に本発明に係る装置という）も、従来の多重効用缶式蒸留水製造装置と同様、供給水の予熱手段と、予熱した供給水から純蒸気を順次発生させる複数の蒸発缶と、発生させた純蒸気と水滴とを分離する気水分離手段と、気水分離した純蒸気を供給水及び冷却水で冷却して蒸留水とするコンデンサと、コンデンサに接続された外気導入手段とを備えている。気水分離手段としては各蒸発缶の下流側に気水分離器を接続することもできるし、また各蒸発缶の下部室に気水分離機構を設けることもできる。本発明の装置は、予熱器と第１蒸発缶とを接続する配管途中から分岐して供給水入口配管の基端部へと戻る熱水殺菌循環配管を設け、高温供給水を元の供給水入口配管の経路で循環させて供給水の接液部を熱水殺菌するように成っている。【０００９】  本発明の装置では、これを用いる通常の蒸留水製造時には、熱水殺菌循環配管を機能させず、供給水は予熱器を通過した後すべて第１蒸発缶に供給するが、詳しくは後述するように、その熱水殺菌時には、予熱器で加熱した供給水の全量若しくはその一部を供給水入口配管の管路へ循環させることにより、この管路を熱水殺菌する。
【発明の効果】
【００１０】  本発明によると、予熱器と第１蒸発缶とを接続する配管途中から分岐して供給水入口配管の基端部へと戻る熱水殺菌循環配管の付設という簡単な付加的手段により、通常は従来のように蒸留水を製造することができ、しかも熱水殺菌時には、供給水入口配管、コンデンサ、排熱回収器等も含めて装置内の第１蒸発缶供給水入口の基端部までの供給水接液部を高温の供給水で殺菌することができるという効果がある。
【図面の簡単な説明】
【００１１】
【図１】  本発明の装置、及び熱水殺菌手段を例示する全体の系統図。
【実施例】
【００１２】  図１にしたがって、本発明の熱水殺菌方法を説明する。図１に例示した本発明の装置では、第１蒸発缶７０、第２蒸発缶８０及び第３蒸発缶９０を備え、第３蒸発缶９０の下流側にコンデンサが接続されている。第１蒸発缶７０、第２蒸発缶８０及び第３蒸発缶９０の各下部室には図示しない気水分離機構が内蔵されており、コンデンサは第１コンデンサ３０とその下流側に接続された第２コンデンサ４０とを備え、第２コンデンサ４０の下流側にＵ字管部を有する蒸留水出口配管４が接続されている。供給水入口配管１は第１コンデンサ３０へと接続されていて、冷却水入口配管８は第２コンデンサ４０へと接続されている。第１コンデンサ３０は排熱回収器５０及び予熱器６０を介して第１蒸発缶７０の上部室７０Ａへと接続されている。【００１３】  予熱器６０は蒸留水を製造するとき若しくは装置を熱水殺菌するときに使用する二重管板式多管円筒型熱交換器であり、供給水入口配管１の排熱回収器５０と切替用の比例制御弁１Ｈとの間に配設し、予熱器６０と比例制御弁１Ｈとの間には温度センサ１Ｇを配設する。装置の蒸気滅菌運転時に温度センサ１Ｇにより予熱器６０で加熱された供給水を設定温度（例えば８０〜１６５℃）に保持するため、加熱用蒸気入口配管２の蒸気止め弁２Ｂと第１蒸発缶７０の蒸気入口との間より加熱器蒸気配管２１を分岐し、ここには自動式開閉弁２１Ａと比例制御弁２１Ｂとを配設して、予熱器６０に加熱蒸気を供給し、温度センサ１Ｇと電気的に連係している比例制御弁２１Ｂによって加熱蒸気量を調節する。予熱器６０の蒸気ドレンノズルと排熱回収器５０のノズルとの間に蒸気ドレン配管２２を配設し、その間に蒸気トラップ２２Ａと逆止弁２２Ｂとを介在させて、予熱器６０で発生する蒸気ドレンを蒸気ドレン出口配管３から排出する。【００１４】  そして図１に例示した本発明の装置では、熱水循環配管１３が設けられている。熱水循環配管１３は比例制御弁１Ｈと温度センサ１Ｇとの間の供給水入口配管１から分岐し、逆止弁１４Ｃ経て供給水入口配管１の基端部に戻るように配設されている。熱水循環配管１３には、自動式開閉弁１３Ｂ、圧力センサ１３Ｃ及び逆止弁１４Ｃが配設され、供給水入口配管１の供給水ポンプ１Ｂにて高温供給水を循環させるようになっている。高温供給水を循環させるときに圧力センサ１３Ｃでの高温供給水戻り圧力が供給水元配管１４の圧力を超えることが無いようにするため、供給水元配管１４に圧力センサ１４Ｄを配設し、常に供給水戻り圧力が供給水元配管１４の圧力以下となるよう供給水ポンプ１Ｂをインバータ制御すると共に比例制御弁１Ｈの開度を調節する。【００１５】  図１に例示した本発明の装置では、供給水入口配管１の管路を高温（通常は８０〜１３０℃）の供給水により熱水殺菌を行うときは、比例制御弁１Ｈは閉じ、自動式開閉弁１３Ｂを開ける。そして予熱器６０の加熱室６０Ｂには加熱源となる蒸気が供給される。供給水元配管１４の自動式開閉弁１４Ｂが開けられ、供給水入口配管１から送入された供給水は、供給水ポンプ１Ｂ、圧力センサ１Ｃ、流量計１Ｄ、自動式開閉弁１Ｅ、流量調整弁１Ｆ、第１コンデンサ３０、排熱回収器５０，予熱器６０の伝熱管、温度センサ１Ｇ、熱水殺���循環配管１３、自動式開閉弁１３Ｂ、圧力センサ１３Ｃ、逆止弁１４Ｃ及び元の供給水入口配管１からなる熱水殺菌循環経路が構成される。
【符号の説明】
【００１６】１  供給水入口配管
２  加熱用の蒸気入口配管
３  蒸気ドレン出口配管
４  蒸留水出口配管
５  廃蒸留水出口配管
６  気体出口配管
７  飽和水出口配管
８  冷却水入口配管
９  冷却水出口配管
１３  熱水殺菌循環配管
１４  供給水元配管
１５  外気入口配管
３０  第１コンデンサ
４０  第２コンデンサ
５０  排熱回収器
６０  予熱器
７０  第１蒸発缶
８０  第２蒸発缶
９０  第３蒸発缶
【図１】
2013081737.tif 000003